(57)【特許請求の範囲】
【請求項１】
ラミネーターから製品を取り除くための物質成形物剥離用剃刀装置であって、
下部および上部を有する押えアームと、
上部、下部及び後部を有する主支持体であって、前記主支持体の前記上部が、第1のピボット連結部によって、前記押えアームの前記下部に連結されている前記主支持体と、
前記主支持体の前記下部に連結された剃刀支持体と、
前記剃刀支持体の前部に配置される剥離用剃刀と、
下部が前記主支持体の前記後部と連結され、上部が前記押えアームの前記上部と連結されているショックアブソーバと、を含む、物質成形物剥離用剃刀装置。
【請求項２】
前記押えアームは、前記第１のピボット連結部より上に第２のピボット連結部を有する、請求項１に記載の物質成形物剥離用剃刀装置。
【請求項３】
圧力レバーが、前記第２のピボット連結部に連結され、前記圧力レバーは、前記圧力レバーが前記押えアームを部分的に包むように、遠位端部、近位端部および頂点で取り付けられた、２つの長手方向部分を有する、請求項２に記載の物質成形物剥離用剃刀装置。
【請求項４】
圧力ばねが、前記第２のピボット連結部に対して垂直に、前記押えアームと前記圧力レバーとの間に配置される、請求項３に記載の物質成形物剥離用剃刀装置。
【請求項５】
前記圧力レバーの前記近位端は、前記第１のピボット連結部の側面に設けられたブレーキホイールの複数の歯に連結される歯付き縁部を有する、請求項３に記載の物質成形物剥離用剃刀装置。
【請求項６】
前記剃刀支持体は、固定支持体と案内支持体とを含み、前記案内支持体は、前記案内支持体の側端部に設けられ、前記固定支持体の側端部に連結される、一対の長手方向フランジによって摺動可能な連結状態にある、前記固定支持体の前記側端部に連結されている、請求項１に記載の物質成形物剥離用剃刀装置。
【請求項７】
前記案内支持体は、前部と後部とを有し、前記剥離用剃刀が前記前部に取り外し可能に連結され、前記剥離用剃刀を前記案内支持体に連結しておく下部支持体が、前記剥離用剃刀の下に見られる、請求項６に記載の物質成形物剥離用剃刀装置。
【請求項８】
前記ショックアブソーバは、前記ショックアブソーバが収縮位置にあるとき、前記主支持体が第１の傾斜を有し、前記ショックアブソーバが伸張位置にあるとき、前記主支持体が第２の傾斜を有するように、前記押えアームに関して前記主支持体の傾斜を変更し、前記第１の傾斜は前記第２の傾斜と異なる、請求項１に記載の物質成形物剥離用剃刀装置。
【請求項９】
ラミネーターから製品を取り除くための剃刀剥離システムであって、
上端部を有する右側支持体と、
上端部を有する左側支持体と、
前記側支持体の間で、前記側支持体の前記上端部に連結された側支持バーと、
支持バーより下で、前記側支持体間に連結されたピボットバーと、
第１のピボット連結部によって、前記ピボットバーに連結される、請求項１から８のいずれか一項に記載の少なくとも１つの物質成形物剥離用剃刀装置を含む、剃刀剥離システム。
【請求項１０】
較正フックが前記側支持体に連結され、前記較正フックが前記ピボットバーに遠位端で連結している、請求項９に記載の剃刀剥離システム。
【請求項１１】
前記較正フックは、近位端と遠位端とを有する真直ぐなねじ棒を含み、前記遠位端はフック形である、請求項１０に記載の剃刀剥離システム。
【請求項１２】
各側支持体は少なくとも１つの案内溝を有し、前記ピボットバーが前記案内溝上を摺動する、請求項９に記載の剃刀剥離システム。
【請求項１３】
前記剃刀剥離システムの長さが長すぎる場合、少なくとも１つの中間支持体が前記側支持体の間に設けられる、請求項９に記載の剃刀剥離システム。
【請求項１４】
前記剃刀剥離システムの各剃刀は、剃刀がカッターの形状の輪郭に完全に及ぶことを確実にするように、前記カッターのリボンと整合していることを特徴とする、請求項９に記載の剃刀剥離システム。
【請求項１５】
各剃刀は個別に較正される、請求項１４に記載の剃刀剥離システム。 
【発明の詳細な説明】
【技術分野】
【０００１】
本発明は、物質成形物をラミネーティング（薄くする）ローラーから、これを損傷することなく、剥離することができる物質成形物剥離用剃刀装置を提供する。もしも不具合が装置に発生した場合、ラミネーティング（薄くする）ローラーの機能を停止する必要はなく、1つの特定の剃刀装置を取り外すことが必要であるに過ぎない。
【背景技術】
【０００２】
剃刀装置の概念は、ラミネーターから製品を取り除くための金属糸の使用が必然的に伴う妨げを除去する要求から産まれた。
【０００３】
我々は、１９９０年１０月３０日付けの米国特許第４，９６６，５４１号の知識を有する。これは、一対のローラーの間で形成され、ガイドによって張力を受ける剥離ワイヤによってローラーから剥離された、薄い成形物の物質にするラミネーティングローラーのための、ワイヤ剥離調整装置を記載している。ガイドは、剥離ワイヤを、ローラーの向かい合っている端周囲と整合させるために設置され、それは無限の可変位置を提供する。
【０００４】
同様に、我々は、２０１５年３月２５日付けの米国特許第８，６７９，５６３Ｂ１号の知識も有する。これは内溝のない前ローラー、前ローラーと反対方向に回転するように構成された後ローラー、近位コンベヤローラーおよび遠位コンベヤローラーに連結されたコンベヤバンド、前ローラーに連結された部分的に螺旋の剥離ワイヤを有するラミネーターに言及する。
【先行技術文献】
【特許文献】
【０００５】
【特許文献１】米国特許第４，９６６，５４１号明細書
【特許文献２】米国特許第８，６７９，５６３号明細書
【発明の概要】
【発明が解決しようとする課題】
【０００６】
金属糸は効率的ではあるが、正しい方法で使用されないと容易に損傷を生じるという欠点を有し、その結果、置換をするために生産ラインの完全な停止がある。
【課題を解決するための手段】
【０００７】
本発明は、下部および上部を有する押えアームと、上部、下部及び後部を有し、上部が、第1のピボット連結部によって押えアームの下部に連結されている主支持体と、主支持体の下部に連結された剃刀支持体と、剃刀支持体の前部に配置された剥離用剃刀と、下部が、主支持体の後部と連結され、上部が前記押えアームの前記上部と連結されているショックアブソーバと、を含む。
【０００８】
さらに本発明は、右側支持体及び左側支持体と、それらの間で前記側支持体の上端に連結された支持バーと、支持バーの下方で前記側支持体間に連結されたピボットバーと、主支持体を含む少なくとも１つの物質成形物剥離用剃刀装置と、を含み、主支持体は、その上部がピボット連結部によって押えアームの下端に連結され、主支持体は、その下部で剃刀支持体に連結され、剃刀支持体は、前部に取り外し用剃刀を有し、ショックアブソーバは、その下端部が主支持体の後端部と連結され、その上端が押えアームの上端部に連結され、剃刀装置は、第１のピボット連結部によって、ピボットバーに連結されていることがわかる。
【発明の効果】
【０００９】
本発明の装置は金属糸を完全に取って代わり、ラミネーティング設備の歩留まりを改善する。
【図面の簡単な説明】
【００１０】
例示的な実施形態は、以下に示す添付の図面を参照しながら説明することができる。
【図１】剥離用剃刀装置の斜視図を示す。
【図２】剥離用剃刀装置の側面図を示す。
【図３】剥離用剃刀装置の分解図を示す。
【図４】剃刀剥離システムの正面図を示す。
【図５】支持体に取り付けられた剥離用剃刀装置の側面図を示す。
【図６】剥離用剃刀装置の機能を示す側面図を示す。
【発明を実施するための形態】
【００１１】
以下の説明では、図１から図６を区別なく参照する。
【００１２】
本発明の物質成形物剥離用剃刀装置（１）は、下部（１１）、上部（１２）、前部（１３）および後部（１４）を有する主支持体（１０）を含む。上部（１２）は、円形開口（１５）を有し、その中に軸受筒（１６）が連結され、さらに、固定カラー（１７）を有している。一方、後部（１４）は少なくとも２つの穿孔（１８）を有し、それらは、直径は同じだが、高さが異なる。同様に、下部（１１）は平滑である。
【００１３】
前記主支持体（１０）は、その上部（１２）によって押えアーム（２０）の下部（２１）と連結されているのがわかる。前記下部（２１）は、前記主支持体の上部（１２）の円形開口（１５）と一致している円形開口（２５）を有し、同様に、前記押えアーム（２０）も上部（２２）、前面（２３）および少なくとも１つの側面（２４）を有し、主支持体（１０）と押えアーム（２０）との間の前記連結は第１のピボット連結部に対応し、同様に押えアームはまた、前記少なくとも１つの側面（２４）に第２のピボット連結部を有し、前記第２のピボット連結部は第１のピボット連結部より上に配置される。
【００１４】
前記主支持体（１０）は、その下部（１１）が、剃刀支持体（３０）に連結されているのがわかる。前記剃刀支持体（３０）は、固定支持体（３１）および案内支持体（３２）を含む。前記案内支持体（３２）は、一対の長手方向フランジ（３３）によって、固定支持体（３１）と摺動可能な連結状態にある。一対の長手方向フランジ（３３）は、前記案内支持体（３２）の側端部に配置されていて、前記固定支持体（３１）の側端部に連結されている。
【００１５】
前記案内支持体（３２）は前部（３６）および後部（３７）を有し、剃刀（４０）が、前記前部（３６）に取り外し可能に連結され、前記剃刀（４０）の下に下部支持体（３８）があることがわかる。これは、案内支持体（３２）に連結された前記剃刀（４０）を保持する。 前記剃刀（４０）は、本発明の範囲から逸脱しない形状および大きさの変更を有してもよいことを言及すべきである。
【００１６】
前記主支持体（１０）の前記後部（１４）と前記押えアーム（２０）の前記上部（２２）との間には、ガスショックアブソーバ（５０）が配置される。前記ガスショックアブソーバ（５０）の下部（５１）は、前記主支持体（１０）の前記後部（１４）と連結されていることがわかり、前記ガスショックアブソーバ（５０）の上部（５２）は前記押えアーム（２０）の前記上部（２２）と連結されていることがわかる。前記ガスショックアブソーバ（５０）の前記下部（５１）は、前記主支持体（１０）の前記後部（１４）の前記少なくとも２つの穿孔（１８）のうちの１つに連結される。
【００１７】
前記ショックアブソーバ（５０）が収縮位置にあるとき、前記主支持体（１０）の第１の傾斜を有し、そして、前記ガスショックアブソーバ（５０）が伸張位置にあるとき、主支持体（１０）が第２の傾斜を有するように、前記ガスショックアブソーバ（５０）は、前記押えアーム（２０）に関して前記主支持体（１０）の傾斜を変更する。第１の傾斜は第２の傾斜とは異なる。
【００１８】
前記第２のピボット連結部には、前記圧力レバー（６０）が連結され、遠位端（６１）、近位端（６２）および頂点で取付られた互いに垂直な２つの長手方向部分を有する。前記押えアーム（２０）が前記圧力レバー（６０）を部分的に包み、前記押えアーム（２０）と前記圧力レバー（６０）の間に、圧力ばね（６５）が見られる。圧力ばね（６５）は、前記第２のピボット連結部と垂直であり、前記押えアーム（２０）の前面（２３）に位置する。同様に、前記圧力レバー（６０）の前記近位端（６２）は、前記第１のピボット連結部の側に設置されたブレーキホイール（７０）の複数の歯（７１）に連結された歯付き縁部（６６）を有する。
【００１９】
本発明の物質成形物剥離用剃刀装置（１）は、剃刀剥離システム（１００）を形成するために他の同様の装置と一緒に設置することができ、前記剃刀剥離システム（１００）は右側支持体（１１０）と、左側支持体（１２０）と、前記支持体（１１０、１２０）の上端部（１１１、１２１）の間で、それらに連結された支持バー（１３０）と、前記支持バー（１３０）の下で前記側支持体（１１０、１２０）の間に連結されるピボットバー（１４０）と、を有し、前記ピボットバーは前記物質成形物剥離用剃刀装置の前記第1のピボット連結部に連結される。
【００２０】
較正フック（１５０）が前記側支持体（１１０、１２０）に連結されているのがわかり、前記較正フック（１５０）は、近位端（１５２）および遠位端（１５３）を有する真直ぐなねじ棒（１５１）を含む。前記遠位端（１５３）は、フック形（１５４）を有し、前記較正フックによって前記ピボットバー（１４０）と連結する。物質成形物剥離用剃刀装置の剥片ローラーへの接近は、前記較正フックによって較正される。
【００２１】
側支持体（１１０、１２０）は、それらの内側に前記ピボットバー（１４０）が摺動する少なくとも１つの案内溝（１１２、１２２）を有する。
【００２２】
前記剃刀剥離システム（１００）の長さが長すぎる場合には、少なくとも１つの中間支持体（１６０）が前記側支持体の間に設けられ、前記中間支持体（１６０）の数は前記剃刀剥離システム（１００）の長さに応じて変わる。
【００２３】
前記剃刀剥離システム（１００）の各剃刀（４０）は、前記剃刀（４０）がカッターの形状の輪郭に完全に及ぶことを確実にするように、カッターのリボン（図示せず）と整合していることがわかる。同様に、各剃刀（４０）は個々に較正される。
【００２４】
本発明のためにここに記載された構造に対する変更は、当業者によって予見され得る。 しかしながら、本説明は、単に例示目的である本発明の好ましい実施形態と関連していることを理解しなければならず、本発明の限定として解釈されてはならない。 本発明を構成する様々な要素の形状、材料、および大きさの変更など、本発明の精神内のあらゆる明らかな修正は、添付の特許請求の範囲内にあると考えなければならない。
【図１】
0006739661.tif 000002
【図２】
0006739661.tif 000003
【図３】
0006739661.tif 000004
【図４】
0006739661.tif 000005
【図５】
0006739661.tif 000006
【図６】
0006739661.tif 000007